(57)【要約】【課題】簡潔な構成により、接続作業を簡素化でき、部品点数を減少できる接続装置を得る。【解決手段】絶縁物からなる接続装置本体２と、絶縁物からなる接続装置本体２と一体に形成され母線接続用接続部２４および遮断器用接続部２５を有する導電接続部材２１と、絶縁物からなる接続装置本体２に導電接続部材２１と電気的に絶縁されて埋め込まれた埋金２３とを備え、埋金２３によりフレーム部材３に取り付けられた接続装置本体２によって母線接続用接続部２４に接続された母線を支持するようにした。【選択図】        図４
2004153880.tif 000002
【特許請求の範囲】
【請求項１】
複数の盤装置にそれぞれ設けられた母線を互いに接続するとともに、前記盤装置に設けられた遮断器と前記母線とを接続する接続装置において、絶縁物からなる接続装置本体と、前記接続装置本体と一体に形成され母線接続用接続部および遮断器用接続部を有する導電接続部材と、前記絶縁物からなる接続装置本体に前記導電接続部材と電気的に絶縁されて埋め込まれた取付用埋込部材とを備え、前記取付用埋込部材により所定電位部分に取り付けられた前記接続装置本体によって前記母線接続用接続部に接続された母線を支持するようにしたことを特徴とする接続装置。
【請求項２】
複数の盤装置にそれぞれ設けられた多相母線を互いに接続するとともに、前記盤装置に設けられた遮断器と前記母線とを接続する接続装置において、絶縁物により形成された接続装置本体と、前記接続装置本体と一体に形成され母線接続用接続部および遮断器用接続部を有する導電接続部材と、前記接続装置本体に前記導電接続部材と電気的に絶縁されて埋め込まれた取付用埋込部材とを備え、前記多相母線の相間に位置する前記接続装置本体の絶縁物部分に前記多相母線における相間の絶縁を確保するよう突出する絶縁確保用突部を設けたことを特徴とする請求項１に記載の接続装置。
【請求項３】
前記接続装置本体に設けた前記絶縁確保用突部を二重以上に構成したことを特徴とする請求項２に記載の接続装置。
【発明の詳細な説明】
【０００１】
【発明の属する技術分野】
この発明は、接続装置、特に、例えば工場やビルなどの受配電設備として使用される金属閉鎖形スイッチギヤにおける盤間接続装置に関するものである。
【０００２】
【従来の技術】
従来技術における盤間接続装置においては、盤間における母線の接続のため専用の接続装置を用いるとともに、母線の絶縁支持には別の絶縁支持構造を有していた（例えば、特許文献１参照）。
また、このような装置では、盤内に設けられた遮断器と母線との接続には、別の接続装置を必要とする。
【０００３】
【特許文献１】
特開平１０−１４０３３号公報（第２−４頁、図１−４）
【０００４】
【発明が解決しようとする課題】
従来の構成のように、盤間の母線相互の接続および遮断器と母線との接続や母線の絶縁支持について、それぞれの機能要素毎に専用の装置を設け、これを組立てることは、作業時間がかかり、部品点数がかさむという問題があった。
【０００５】
この発明は、母線接続用接続部および遮断器用接続部を有する導電接続部材を一体に形成した絶縁物からなる接続装置本体により前記母線接続用接続部に接続される母線を絶縁支持するようにして、簡潔な構成により、接続作業を簡素化でき、部品点数を減少できる接続装置を得ようとするものである。
【０００６】
【課題を解決するための手段】
この発明に係る接続装置では、絶縁物からなる接続装置本体と一体に形成され母線接続用接続部および遮断器用接続部を有する導電接続部材と、前記絶縁物からなる接続装置本体に前記導電接続部材と電気的に絶縁されて埋め込まれた取付用埋込部材とを備え、前記取付用埋込部材により所定電位部分に取り付けられた前記接続装置本体によって前記母線接続用接続部に接続された母線を支持するようにしたものである。
【０００７】
【発明の実施の形態】
実施の形態１．
この発明による実施の形態１を図１ないし図４について説明する。図１は実施の形態１における全体構成を示す正面図である。図２は実施の形態１における全体構成を示す側面図である。図３は実施の形態１における盤間接続装置の構成を示す斜視図である。図４は実施の形態１における盤間接続装置に遮断器用接続部材を取り付けた構成を示す斜視図である。
【０００８】
この実施の形態１における盤間接続装置は、全体として、図１および図２に示すように構成される。
それぞれ配電盤１０からなる配電盤（１）と配電盤（２）との相互間における盤間接続部に、盤間接続装置が設けられる。
この盤間接続装置には、母線１を支持する接続装置本体２が設けられ、絶縁物からなる接続装置本体２は接地電位等の所定の電位に保持されるフレーム部材３に取り付けられている。
母線１は、図１に示す奥行方向に、３相分が互いに間隔を置いて並設されているものである。３相分のこれら母線１に対応して、図２に示すように、接続装置本体２が設けられる。
絶縁物部分２２で構成される接続装置本体２には、母線接続用接続部および遮断器接続用フィンガコンタクトを取り付け可能な遮断器接続用接続部１２を有する導電接続部材２１が設けられている。その詳細は、図３以下について後述する。
【０００９】
配電盤（１）または配電盤（２）を構成する配電盤１０は、図２に示すように、前面部１０Ｆおよび後面部１０Ｒを有し、この配電盤１０には、遮断器本体１１が収容され、遮断器接続用フィンガコンタクトが取り付けられた遮断器接続用接続部１２を有する接続装置本体２を介して母線１に接続されている。
遮断器本体１１は、図示下降位置において、その遮断器接続用接続部１２との接続を開放し断路位置となっている。
遮断器本体１１を昇降機構（図示せず）により図示下降位置から上方へ移動し上昇位置とすることによって、遮断器本体１１は通電状態を保持する通電位置となる。この状態で遮断器本体１１の導体５３は遮断器接続用接続部１２の遮断器接続用フィンガコンタクトに接触し通電を確保する。
【００１０】
図３に示すように、接続装置本体２は、銅のバルク材からなる導電接続部材２１と成型絶縁材からなる絶縁物部分２２とを有している。
直方体をなす導電接続部材２１は、図示上面および両側面を絶縁物部分２２により覆われ、図示下面を露出して絶縁物部分２２と一体に成型されている。
導電接続部材２１の図示下面には、母線接続用接続部を構成する母線接続用ねじ穴２４と、遮断器接続用接続部１２（図１，図２参照）を構成するフィンガコンタクト５２（図４）を取り付けるためのフィンガコンタクト取付用ねじ穴２５とが設けられている。
接続装置本体２における絶縁物部分２２の図示上面には、取付用埋め込み部材を構成する埋金２３が導電接続部材２１と十分な電気的絶縁を保って埋め込まれている。埋金２３の図示上面は絶縁物部分２２の上面と同一面において露出され、所定の電位に保持されるフレーム部材３に取り付けられる。
【００１１】
導電接続部材２１および絶縁物部分２２を有する接続装置本体２が埋金２３によってフレーム部材３に取り付けられた状態で、図４に示すように、接続装置本体２の母線接続用ねじ穴２４によって母線１を互いに接続し、かつ、接続装置本体２のフィンガコンタクト取付用ねじ穴２５によって遮断器接続用接続部１２を構成するフィンガコンタクト５２を取り付ける。
フィンガコンタクト５２は、遮断器側導体５３と接離可能に設けられる。遮断器側導体５３との接合状態において遮断器本体１１（図２参照）を母線１に接続し、遮断器本体１１の引出し方向の移動による遮断器側導体５３との接合の開放によって、断路状態となる。
【００１２】
実施の形態１に示すように盤間接続用の母線を構成することで、埋金２３で筐体に設けられたフレーム部材３に固定でき、絶縁物部分２２で絶縁距離が確保できる。
また、図４で示したように、この母線に遮断器との接続を行うためのフィンガーコンタクトを取付けるため、実施の形態１のように構成すると、盤間接続用の母線は、元からある盤間接続機能と碍子等による絶縁支持機能、遮断器接続機能を持つことになる。このため、組立作業の簡略化と部品点数の削減が可能になる。
【００１３】
この発明による実施の形態１によれば、配電盤（１）および配電盤（２）等からなる複数の盤装置１０にそれぞれ設けられた多相母線１を互いに接続するとともに、前記盤装置に設けられた遮断器本体１１と前記母線１とを接続する接続装置において、絶縁物により形成された接続装置本体２と、前記接続装置本体２と一体に形成され母線接続用ねじ穴２４からなる母線接続用接続部およびフィンガコンタクト５２を取り付けるための遮断器接続用ねじ穴２５からなる遮断器接続用接続部を有する導電接続部材２１と、前記接続装置本体２に前記導電接続部材２１と電気的に絶縁されて埋め込まれた埋金２３からなる取付用埋込部材とを備え、前記埋金２３からなる取付用埋込部材により接地電位等の所定電位部分に保持されるフレーム部材３に取り付けられた前記接続装置本体２によって前記母線接続用ねじ穴２４からなる母線接続用接続部に接続された母線１を支持するようにしたので、母線接続用接続部および遮断器用接続部を有する導電接続部材を一体に形成した絶縁物からなる接続装置本体により前記母線接続用接続部に接続される母線を絶縁支持することによって、簡潔な構成により、接続作業を簡素化でき、部品点数を減少できる接続装置を得ることができる。
【００１４】
実施の形態２．
この発明による実施の形態２を図５について説明する。図５は実施の形態２における盤間接続装置の構成を示す斜視図である。
この実施の形態２において、ここで説明する特有の構成以外の構成については、先に説明した実施の形態１と同様の構成内容を有し、同様の作用を奏するものである。図中、同一符号は同一または相当部分を示す。
【００１５】
この実施の形態２においては、導電接続部材２１および埋金２３を有する接続装置本体２の絶縁物部分２２にはひだ３２からなる絶縁確保用突部が設けられている。
導電接続部材２１は、その長手方向を図４に示す左下から右上に向かって延在して設けられるものであって、母線１（図１，図４参照）も導電接続部材２１の長手方向に延在するものである。
導電接続部材２１の長手方向に延在する母線１（図１，図４参照）は３相分並設され所定の間隔を保って互いに平行して延在する。
ひだ３２からなる絶縁確保用突部は、これらの母線における相間で導電接続部材２１および母線１（図１，図４参照）に沿って延在し、母線相互の絶縁を十分に確保するものである。
【００１６】
このように実施の形態２では、絶縁物部分２２をひだのように伸ばしてひだ３２からなる絶縁確保用突部を構成することで、相間の十分な絶縁確保が可能になり、相間の縮小化が可能になる。
【００１７】
この発明による実施の形態２によれば、配電盤（１）および配電盤（２）等からなる複数の盤装置１０にそれぞれ設けられた多相母線１を互いに接続するとともに、前記盤装置に設けられた遮断器本体１１と前記母線１とを接続する接続装置において、絶縁物により形成された接続装置本体２と、前記接続装置本体２と一体に形成され母線接続用ねじ穴２４からなる母線接続用接続部および遮断器接続用ねじ穴２５からなる遮断器接続用接続部を有する導電接続部材２１と、前記接続装置本体２に前記導電接続部材２１と電気的に絶縁されて埋め込まれた埋金２３からなる取付用埋込部材とを備え、前記多相母線１の相間に位置する前記接続装置本体２の絶縁物部分２２に前記多相母線１における相間の絶縁を確保するひだ３２からなる絶縁確保用突部を設けたので、母線接続用接続部および遮断器用接続部を有する導電接続部材を一体に形成した絶縁物からなる接続装置本体により前記母線接続用接続部に接続される母線を絶縁支持することによって、簡潔な構成により、接続作業を簡素化でき、部品点数を減少できるとともに、相間の絶縁を強化できる接続装置を得ることができる。
【００１８】
実施の形態３．
この発明による実施の形態３を図６について説明する。図６は実施の形態３における盤間接続装置の構成を示す斜視図である。
この実施の形態３において、ここで説明する特有の構成以外の構成については、先に説明した実施の形態１と同様の構成内容を有し、同様の作用を奏するものである。図中、同一符号は同一または相当部分を示す。
【００１９】
この実施の形態３においては、導電接続部材２１および埋金２３を有する接続装置本体２の絶縁物部分２２にはひだ４２，４２からなる二重に構成された絶縁確保用突部が設けられている。
導電接続部材２１は、その長手方向を図４に示す左下から右上に向かって延在して設けられるものであって、母線１（図１，図４参照）も導電接続部材２１の長手方向に延在するものである。
導電接続部材２１の長手方向に延在する母線１（図１，図４参照）は３相分並設され所定の間隔を保って互いに平行して延在する。
ひだ４２，４２からなる二重に構成された絶縁確保用突部は、これらの母線における相間で導電接続部材２１および母線１（図１，図４参照）に沿ってそれぞれ延在し、母線相互の絶縁を十分に確保するものである。
このひだ４２からなる絶縁確保用突部は、必ずしも二重でなくてもよく、それ以上に多重化することによって、絶縁確保をより一層効果的に行うことができる。
【００２０】
この実施の形態３では、ひだ４２からなる絶縁確保用突部を多重化することで、相間方向と盤の高さ方向の縮小化を可能にできる。
【００２１】
この発明による実施の形態３によれば、配電盤（１）および配電盤（２）等からなる複数の盤装置１０にそれぞれ設けられた多相母線１を互いに接続するとともに、前記盤装置に設けられた遮断器本体１１と前記母線１とを接続する接続装置において、絶縁物により形成された接続装置本体２と、前記接続装置本体２と一体に形成され母線接続用ねじ穴２４からなる母線接続用接続部および遮断器接続用ねじ穴２５からなる遮断器接続用接続部を有する導電接続部材２１と、前記接続装置本体２に前記導電接続部材２１と電気的に絶縁されて埋め込まれた埋金２３からなる取付用埋込部材とを備え、前記多相母線１の相間に位置する前記接続装置本体２の絶縁物部分２２に前記多相母線１における相間の絶縁を確保するひだ４２，４２からなる二重またはそれ以上の絶縁確保用突部を構成したので、母線接続用接続部および遮断器用接続部を有する導電接続部材を一体に形成した絶縁物からなる接続装置本体により前記母線接続用接続部に接続される母線を絶縁支持することによって、簡潔な構成により、接続作業を簡素化でき、部品点数を減少できるとともに、相間の絶縁をより一層強化できる接続装置を得ることができる。
【００２２】
【発明の効果】
この発明によれば、母線接続用接続部および遮断器用接続部を有する導電接続部材を一体に形成した絶縁物からなる接続装置本体により前記母線接続用接続部に接続される母線を絶縁支持することによって、簡潔な構成により、接続作業を簡素化でき、部品点数を減少できる接続装置を得ることができる。
【図面の簡単な説明】
【図１】この発明による実施の形態における全体構成を示す正面図である。
【図２】この発明による実施の形態における全体構成を示す側面図である。
【図３】この発明による実施の形態１における盤間接続装置の構成を示す斜視図である。
【図４】この発明による実施の形態１における盤間接続装置に遮断器用接続部材を取り付けた構成を示す斜視図である。
【図５】この発明による実施の形態２における盤間接続装置の構成を示す斜視図である。
【図６】この発明による実施の形態３における盤間接続導体の構成を示す斜視図である。
【符号の説明】
１  母線、２  接続装置本体、３  フレーム、１０  配電盤、１１  遮断器本体、１２  遮断器本体と配電盤の母線側導体との接続を行う遮断器接続用部、２１  導電接続部材、２２  絶縁物部分、２３  埋金、２４  母線接続用ねじ穴、２５  フィンガー取付用ねじ穴、３２  ひだからなる絶縁確保用突部、４２  ひだからなる多重化した絶縁確保用突部、５２  フィンガーコンタクト、５３  遮断器側導体。
【図１】
2004153880.tif 000003
【図２】
2004153880.tif 000004
【図３】
2004153880.tif 000005
【図４】
2004153880.tif 000006
【図５】
2004153880.tif 000007
【図６】
2004153880.tif 000008